(57)【要約】【課題】１チューナの受信装置で高品質の同時受信を実現する。【解決手段】選局部１１１はチューナ部１３０を制御することで、複数のチャンネルを交互に切り替えて選局する。選局された複数のチャンネルのそれぞれについて、受信されたデータがバッファ部１５０にバッファされる。交互に選局しているため、各データには欠落部分が生じているが、復調部１６０が復調する際、誤り訂正符号を用いた誤り訂正により欠落データを補完する。複数のチャンネルについてデータが補完されるので、品質を落とすことなく同時受信をおこなうことができる。これにより、タイムラグを生じさせずにチャンネル切替をおこなうことができる他、１チューナの受信装置において裏番組録画をおこなうことができる。【選択図】図２
2010157979.tif 000002
【特許請求の範囲】
【請求項１】
デジタル放送を受信する受信装置であって、
複数の異なるチャンネルを交互に切り替えて選局する選局手段と、
前記選局手段によって切り替えられる複数のチャンネルそれぞれについて受信したデータの欠落を誤り訂正によって補完する補完手段と、
前記選局手段が選局したチャンネルの少なくとも一について補完されたデータを出力する出力手段と、
を備えたことを特徴とする受信装置。
【請求項２】
前記誤り訂正に用いられるパラメータに基づいて、前記選局手段が切り替えるチャンネルの数を決定するチャンネル数決定手段をさらに備え、
前記選局手段は、前記チャンネル数決定手段が決定したチャンネル数のチャンネルを交互に切り替えて選局する、
ことを特徴とする請求項１に記載の受信装置。
【請求項３】
前記チャンネル数決定手段は、受信可能なチャンネルで放送されている番組の種類に基づいて、前記選局手段が切り替えるチャンネルの数を決定する、
ことを特徴とする請求項２に記載の受信装置。
【請求項４】
前記選局手段は、受信可能なチャンネルで放送されている番組の種類に基づいて、チャンネルの切替タイミングを変更する、
ことを特徴とする請求項１乃至３のいずれか１項に記載の受信装置。
【請求項５】
前記選局手段が選局したチャンネルの少なくとも一について補完されたデータを記録する記録手段をさらに備える、
ことを特徴とする請求項１乃至４のいずれか１項に記載の受信装置。
【請求項６】
前記記録手段は、前記出力手段が出力しているチャンネル以外のチャンネルについて補完されたデータを記録する、
ことを特徴とする請求項５に記載の受信装置。
【請求項７】
前記選局手段は、視聴対象となっているチャンネルと、当該視聴対象チャンネルに隣接するチャンネルを交互に切り替えて選局する、
ことを特徴とする請求項１乃至６のいずれか１項に記載の受信装置。
【請求項８】
前記出力手段は、受信した画像を表示する表示手段を含み、
前記出力手段は、前記選局手段が切り替えて選局するチャンネルの数で前記表示手段の画面を分割し、前記各チャンネルで放送されている映像を、前記分割した画面のそれぞれに表示させる、
ことを特徴とする請求項１乃至７のいずれか１項に記載の受信装置。
【請求項９】
デジタル放送を受信する受信装置を制御するコンピュータに、
複数の異なるチャンネルを交互に切り替えて選局させる機能と、
前記切り替えられる複数のチャンネルそれぞれについて受信したデータの欠落を誤り訂正によって補完させる機能と、
前記選局されたチャンネルの少なくとも一について補完されたデータを出力させる機能と、
を実現させることを特徴とするプログラム。
【発明の詳細な説明】
【技術分野】
【０００１】
本発明は、受信装置、および、プログラムに関し、特に、デジタル放送の受信に好適な受信装置、および、プログラムに関する。
【背景技術】
【０００２】
近年、携帯電話のような小型の端末装置でもデジタルテレビ放送の受信が可能となってきているが、視聴中の番組とは別の裏番組を同時に録画したいという要求は小型の端末装置であっても変わらずある。この要求に応えるために複数のチューナを搭載すると、端末装置が大型化してしまいコストも上がってしまう。
【０００３】
このため、１つのチューナのみで複数の番組を受信し、一方を表示しつつ他方を録画する技術が開示されている（例えば、特許文献１）。
【先行技術文献】
【特許文献】
【０００４】
【特許文献１】特開２００６−３５２６９５号公報
【発明の概要】
【発明が解決しようとする課題】
【０００５】
しかしながら、特許文献１に開示されている技術では、１つのチューナで複数のチャンネルの放送を切り替えて受信するため、受信していない間の映像は存在しないことになる。すなわち、受信していない間の映像は間引かれて処理されるので、通常よりも画質の劣る映像しか取得できないという問題がある。
【０００６】
また、デジタル放送の場合、受信した放送波のデコード動作が必要となるため、チャンネルを切り替えた際の画面表示にタイムラグが生じることがあり、ユーザにとってのストレスとなることがあった。
【０００７】
本発明は、上記実状に鑑みてなされたものであり、デジタル放送を視聴する際の利便性を向上させる受信装置、および、プログラムを提供することを目的とする。
【課題を解決するための手段】
【０００８】
上記目的を達成するため、本発明の第１の観点にかかる受信装置は、
デジタル放送を受信する受信装置であって、
複数の異なるチャンネルを交互に切り替えて選局する選局手段と、
前記選局手段によって切り替えられる複数のチャンネルそれぞれについて受信したデータの欠落を誤り訂正によって補完する補完手段と、
前記選局手段が選局したチャンネルの少なくとも一について補完されたデータを出力する出力手段と、
を備えたことを特徴とする。
【０００９】
上記受信装置は、
前記誤り訂正に用いられるパラメータに基づいて、前記選局手段が切り替えるチャンネルの数を決定するチャンネル数決定手段をさらに備えていることが望ましく、この場合、
前記選局手段は、前記チャンネル数決定手段が決定したチャンネル数のチャンネルを交互に切り替えて選局することが望ましい。
【００１０】
この場合、
前記チャンネル数決定手段は、受信可能なチャンネルで放送されている番組の種類に基づいて、前記選局手段が切り替えるチャンネルの数を決定してもよい。
【００１１】
また、
前記選局手段は、受信可能なチャンネルで放送されている番組の種類に基づいて、チャンネルの切替タイミングを変更してもよい。
【００１２】
上記受信装置は、
前記選局手段が選局したチャンネルの少なくとも一について補完されたデータを記録する記録手段をさらに備えていることが望ましい。
【００１３】
この場合、
前記記録手段は、前記出力手段が出力しているチャンネル以外のチャンネルについて補完されたデータを記録してもよい。
【００１４】
上記受信装置において、
前記選局手段は、視聴対象となっているチャンネルと、当該視聴対象チャンネルに隣接するチャンネルを交互に切り替えて選局することが望ましい。
【００１５】
上記受信装置において、
前記出力手段は、受信した画像を表示する表示手段を含み、この場合、
前記出力手段は、前記選局手段が切り替えて選局するチャンネルの数で前記表示手段の画面を分割し、前記各チャンネルで放送されている映像を、前記分割した画面のそれぞれに表示させることが望ましい。
【００１６】
上記目的を達成するため、本発明の第２の観点にかかるプログラムは、
デジタル放送を受信する受信装置を制御するコンピュータに、
複数の異なるチャンネルを交互に切り替えて選局させる機能と、
前記切り替えられる複数のチャンネルそれぞれについて受信したデータの欠落を誤り訂正によって補完させる機能と、
前記選局されたチャンネルの少なくとも一について補完されたデータを出力させる機能と、
を実現させることを特徴とする。
【発明の効果】
【００１７】
本発明によれば、デジタル放送を視聴する際の利便性を向上させることができる。
【図面の簡単な説明】
【００１８】
【図１】本発明の実施形態にかかる受信装置の構造を示すブロック図である。
【図２】図１に示した制御部によって実現される機能を示す機能ブロック図である。
【図３】本発明の実施形態１で実行される「放送受信処理」を説明するためのフローチャートである。
【図４】図３に示した「放送受信処理」において実行される「隣接チャンネル受信処理」を説明するためのフローチャートである。
【図５】本発明の実施形態１におけるチャンネル切替を説明するための図であり、（ａ）は、「放送受信処理」において２チャンネル分の同時受信をおこなう際のチャンネル切替タイミングの例を示し、（ｂ）は、「隣接チャンネル受信処理」において３チャンネル分の同時受信をおこなう際のチャンネル切替タイミングの例を示す。
【図６】本発明の実施形態２で実行される「放送受信録画処理」を説明するためのフローチャートである。
【発明を実施するための形態】
【００１９】
本発明にかかる受信装置の例を以下に説明する。本実施形態にかかる受信装置１００は、例えば、携帯型のテレビジョン放送受信装置であり、地上デジタルテレビ放送などのデジタル放送を受信して出力する。本実施形態では、受信装置１００によって、地上デジタルテレビ放送である１セグメント放送（いわゆる、ワンセグ放送）が受信されるものとする。
【００２０】
この場合、受信装置１００は、ＯＦＤＭ（Orthogonal Frequency Division Multiplexing：直交周波数分割多重）方式で変調された放送電波の受信をおこなう。放送される映像・音声・データは符号化されて伝送されるが、このときに所定の訂正符号を用いた誤り訂正がかけられているものとする。本実施形態では、例えば、リードソロモン（ＲＳ）符号を外符号とした外符号誤り訂正と、畳み込み符号を内符号とした内符号誤り訂正がかけられているものとする。
【００２１】
本実施形態にかかる受信装置１００を、図１を参照して説明する。図１は、本実施形態にかかる受信装置１００の概略構成を示すブロック図である。図示するように、受信装置１００は、制御部１１０、操作部１２０、チューナ部１３０、ＡＤＣ１４０、バッファ部１５０、復調部１６０、デコード部１７０、出力部１８０、記憶部１９０、などから構成される。
【００２２】
制御部１１０は、例えば、ＣＰＵ（Central Processing Unit：中央演算処理装置）やワークエリアとなるＲＡＭ（Random Access Memory）などから構成され、所定の動作プログラムを実行することで受信装置１００の各部を制御する。すなわち、受信装置１００の各構成は制御部１１０によって制御されるとともに、各構成間の情報伝達などは制御部１１０を介しておこなわれる。
【００２３】
操作部１２０は、受信装置１００の外面上に構成されたボタンやキーなどから構成され、受信装置１００のユーザによって操作される。操作部１２０は、各ボタンやキーなどと接続された入力回路などを備え、ユーザの操作に応じた入力信号を生成して制御部１１０に入力する。本実施形態では、少なくとも、ユーザが所望する放送チャンネルの選局に用いられるボタンやキーなどが含まれるものとし、例えば、受信チャンネルを連続的に切り替えるためのアップダウンキーなどが含まれているものとする。
【００２４】
チューナ部１３０は、例えば、Ｌｏｗ−ＩＦ（Low-Intermediate Frequency）方式のチューナ回路などから構成され、アンテナ１３１が受信した高周波（ＲＦ）の放送波を中間周波数（ＩＦ）に変換するとともに、指定されたチャンネルの選局をおこなう。本実施形態にかかるチューナ部１３０は、既知のデジタル放送用チューナ回路などによって実現されるものであり、１チャンネル分の受信が可能なチューナ回路を１つ備えたものとする。なお、本実施形態にかかるチューナ部１３０は、制御部１１０からの制御によって受信チャンネルの切替がおこなわれるものとする。
【００２５】
ＡＤＣ１４０は、アナログ−デジタル変換器（Analog-Digital Converter：ＡＤＣ）であり、チューナ部１３０から出力されるアナログＩＦ信号をデジタルデータ（ＯＦＤＭ信号）に変換する。
【００２６】
バッファ部１５０は、半導体記憶装置などから構成されたバッファメモリであり、ＡＤＣ１４０が変換したデジタルデータなどをバッファリングする。
【００２７】
復調部１６０は、放送波の変調方式に応じた復調回路などから構成され、ＡＤＣ１４０によって変換されたデジタルデータの復調をおこなう。本実施形態では、ＯＦＤＭ方式によって変調されたデジタルデータを復調することで、受信したチャンネルで放送されているコンテンツを示すＴＳ（Transport Stream：トランスポートストリーム）信号を出力する。
【００２８】
この場合、復調部１６０は、ＦＦＴ（Fast Fourier Transform：高速フーリエ変換）、波形等化、周波数デインタリーブ、時間デインタリーブ、デマッピング、ビットデインタリーブ、ビタビ復号、バイトデインタリーブ、エネルギー拡散、ＴＳ復号、ＲＳ復号、などの処理を順次おこなうことでＴＳ信号に復調する。
【００２９】
ここで、ビットデインタリーブは、畳み込み符号の訂正能力を高めるために施されたビットインタリーブの逆処理であり、ビットデインタリーブ後のビタビ復号によって、畳み込み符号による誤り訂正がおこなわれる。また、バイトデインタリーブは、ＲＳ符号の訂正能力を高めるために施されたバイトインタリーブの逆処理であり、バイトデインタリーブ後のＲＳ復号によって、ＲＳ符号による誤り訂正がおこなわれる。
【００３０】
なお、復調部１６０によって復調されたＴＳ信号は、バッファ部１５０にバッファリングされるものとする。
【００３１】
デコード部１７０は、ＴＳデコーダ回路、音声デコーダ回路、画像デコーダ回路、などから構成され、復調部１６０によって復調されたＴＳ信号から音声データや画像データを取り出すとともに、これらに施されている圧縮符号化方式（例えば、MPEG-2 AAC（音声）やH.264/AVC（画像）、など）に応じたデコード処理をおこなうことで、受信チャンネルについての画像信号や音声信号を出力する。
【００３２】
出力部１８０は、例えば、ＤＡＣ（Digital-Analog Converter：デジタル−アナログ変換器）、表示装置（例えば、液晶表示装置など）、音声出力装置（例えば、スピーカなど）、などから構成され、デコード部１７０から出力された画像信号や音声信号に基づいた再生出力動作をおこなう。
【００３３】
記憶部１９０は、例えば、フラシュメモリなどの記憶装置から構成され、制御部１１０が実行する動作プログラムを格納する他、本発明を実現するために必要な種々のデータを格納する。
【００３４】
また、本実施形態にかかる受信装置１００は、受信した放送の録画機能を有しているものとし、録画対象となった放送番組のデータは記憶部１９０に格納される。この場合、復調部１６０によって復調されたＴＳ信号が記憶部１９０に記録されるものとする。なお、記憶部１９０には、例えば、メモリカードなどのような着脱可能な記憶媒体が含まれていてもよい。
【００３５】
上述したように、本実施形態にかかる受信装置１００のチューナ部１３０は、１つのチャンネルを受信可能なチューナ回路を１つ備える構成（１チューナ）であるが、本実施形態では、このようなチューナ構成において複数チャンネルの同時受信をおこなう。この動作は、制御部１１０が各部を制御することで実現される。
【００３６】
この場合に制御部１１０で実現される機能を図２に示す。図２は、制御部１１０がプログラムを実行することで実現される機能を示す機能ブロック図である。図示するように、制御部１１０は、選局部１１１、同時受信処理部１１２、出力制御部１１３、などとして機能する。
【００３７】
選局部１１１は、操作部１２０からの入力信号に基づいて、ユーザが所望するチャンネルが選局されるようチューナ部１３０を制御する他、複数チャンネルを同時受信する際には、複数のチャンネルを交互に切り替えるようチューナ部１３０を制御する。
【００３８】
同時受信処理部１１２は、複数のチャンネルを同時受信する際に、受信状況に応じて、同時受信可能なチャンネル数を決定する他、選局部１１１によるチャンネル切替時間などを決定し、これらの決定事項に基づいて、復調部１６０の動作を制御する。
【００３９】
出力制御部１１３は、同時受信処理部１１２の制御によって復調部１６０が復調した信号の出力を制御する。この場合、出力制御部１１３は、ユーザによって指定されているチャンネルの画像や音声が出力されるよう出力部１８０を制御する他、録画対象となっているチャンネルのＴＳ信号を記憶部１９０に格納する動作などをおこなう。
【００４０】
本実施形態では、制御部１１０がプログラムを実行することで上記各機能が論理的に実現されるものとするが、例えば、ＡＳＩＣ（Application Specific Integrated Circuit：特定用途向け集積回路）などのハードウェアによって上記各機能が実現されてもよい。
【００４１】
このような受信装置１００によって実行される動作を以下に説明する。
【００４２】
（実施形態１）
まず、ユーザが受信装置１００でテレビ放送を視聴する際に実行される「放送受信処理」を、図３に示すフローチャートを参照して説明する。この「放送受信処理」は、受信装置１００の電源が投入されたことなどを契機に開始される。
【００４３】
処理が開始されると、選局部１１１はまず、デジタル放送受信における一般的な初期化動作であるチャンネルスキャンをおこなう（ステップＳ１０１）。ここでは、選局部１１１がチューナ部１３０を制御することで、受信チャンネルを順次変えながら受信することで、受信装置１００の現在位置において受信可能なチャンネルを走査（スキャン）する。このスキャン動作により、選局部１１１はチャンネルリストを作成し、記憶部１９０に格納する。
【００４４】
ここで、選局部１１１は、スキャン時のチャンネル切替の際に、チャンネル切替にかかるタイムラグの計測をおこなう（ステップＳ１０２）。このタイムラグは、受信可能であることが確認できたチャンネルから次のチャンネルに切り替えた際に、切り替え後のチャンネルについて受信可能であることが確認できるまでの時間とする。
【００４５】
選局部１１１によるスキャン動作によって各チャンネルの受信動作がおこなわれるが、このときの復調動作に基づき、同時受信処理部１１２は、受信可能な放送波についての誤り訂正パラメータなどを検出する。そして、同時受信処理部１１２は、検出した誤り訂正パラメータに基づいて、誤り訂正可能なデータ量を判別する（ステップＳ１０３）。ここでは、どの程度までのデータ量が欠落しても誤り訂正できるか判別する。
【００４６】
誤り訂正可能なデータ量（以下、「許容欠落データ量」とする）を判別すると、同時受信処理部１１２は、判別した許容欠落データ量に基づき、放送電波の受信・復調において当該データ量に相当する時間を決定する。すなわち、当該時間の分データを受信しなくても誤り訂正できることを意味する。よって、同時受信処理部１１２は、このような時間（以下、「許容不受信時間（Ｔ）」もしくは「時間（Ｔ）」とする）を決定する（ステップＳ１０４）。
【００４７】
許容不受信時間（Ｔ）を決定すると、同時受信処理部１１２は、許容欠落データ量や許容不受信時間に基づいて、同時に受信できるチャンネルの数（ｎ）を決定する（ステップＳ１０５）。ここで、本実施形態における「同時受信」とは、１チューナにおいて複数のチャンネルを一定時間毎に交互に切り替え、それぞれのチャンネルにおいて受信していない時間のデータを誤り訂正で補完することにより、複数チャンネルのデータを取得するものである。
【００４８】
この場合において、同時に受信できるチャンネルの数を、そのときの誤り訂正パラメータなどから判別された許容欠落データ量などから決定する。ここでは、例えば、データの２／３が欠落しても誤り訂正によって復調できるのであれば、２チャンネル分を同時受信できるものと想定する。本実施形態では、少なくとも２チャンネル分の同時受信ができることを前提条件とする。よって、例えば、誤り訂正符号の符号化率や拘束長の違いなどのような誤り訂正の能力にかかるパラメータ設定によっては、３チャンネル以上を同時受信できる場合も想定できる。
【００４９】
同時受信チャンネル数（ｎ）を決定すると、同時受信処理部１１２は、その旨を選局部１１１に通知するとともに、決定した同時受信チャンネル数（ｎ）が２であるか３以上であるかを判別する（ステップＳ１０６）。
【００５０】
ここで、ステップＳ１０３で判別した許容欠落データ量、ステップＳ１０４で決定した許容不受信時間（Ｔ）、ステップＳ１０５で決定した同時受信チャンネル数（ｎ）などは記憶部１９０に記録されるものとする。
【００５１】
以下、同時受信チャンネル数（ｎ）が２である場合（ステップＳ１０６：Ｙｅｓ）の処理を説明する。この場合、選局部１１１は、同時受信処理部１１２からの通知に応じて、視聴対象チャンネルを選局する動作をおこなう（ステップＳ１０７）。ここでは、例えば、ユーザが操作部１２０を操作することで指定したチャンネルや前回の終了時に設定されていたチャンネルなどを視聴対象チャンネルとする。
【００５２】
この場合、選局部１１１がチューナ部１３０を制御することで、視聴対象チャンネルが選局される。そして、復調部１６０による受信信号の復調の後、デコード部１７０がデコードすることで出力部１８０から映像や音声が出力される（ステップＳ１０８）。
【００５３】
ユーザは出力された映像や音声を視聴するが、操作部１２０を操作することによるチャンネル切替をおこなわなければ、所定の終了イベント（例えば、受信装置１００の電源オフなど）が発生するまで、同チャンネルについての受信、復調、デコード、出力の各動作が継続される（ステップＳ１０９：Ｎｏ、ステップＳ１１３：Ｎｏ）。
【００５４】
一方、当初の視聴対象チャンネルから他のチャンネルへの切替操作がおこなわれた場合（ステップＳ１０９：Ｙｅｓ）、選局部１１１は、操作部１２０からの入力信号に基づいて切替後のチャンネルを判別する。そして、チューナ部１３０を制御し、切替後のチャンネルと切替前のチャンネルとを、図５（ａ）に示すように、ステップＳ１０４で決定した許容不受信時間（Ｔ）毎に交互に選局させる（ステップＳ１１０）。
【００５５】
この場合、チューナ部１３０が受信し、ＡＤＣ１４０によって変換されたデジタルデータ（ＯＦＤＭ信号）は、チャンネル単位でバッファ部１５０にバッファされる（ステップＳ１１１）。
【００５６】
この場合、復調部１６０は、バッファされた２チャンネル分のＯＦＤＭ信号のそれぞれを復調するが、許容不受信時間（Ｔ）毎に交互に選局されているため、それぞれのチャンネルについて時間（Ｔ）分のデータ欠落が生じている。同時受信処理部１１２は、復調部１６０を制御し、各チャンネルのデータを誤り訂正することで、不受信分のデータを補完させる（ステップＳ１１２）。
【００５７】
この場合、出力制御部１１３は、切替後のチャンネルについて復調・補完したデータをデコード部１７０に出力するよう復調部１６０を制御する。これにより、ユーザが指定した切替後のチャンネル（新たな「視聴対象チャンネル」）についての映像や音声が出力部１８０から出力される（ステップＳ１１３：Ｎｏ、ステップＳ１０８）。
【００５８】
このとき、切替前のチャンネルについてのデータも復調・補完されてバッファ部１５０にバッファされているので、切替前のチャンネル（当初の「視聴対象チャンネル」）に再度切り替えられた場合、デコード部１７０に出力するデータを切り替えることで、当該チャンネルの映像や音声がタイムラグなしに出力されることになる。
【００５９】
このように、同時に受信可能なチャンネル数（ｎ）が２である場合は、チャンネル切替が生じた際に、切替前後のチャンネル（２チャンネル）について、誤り訂正を利用した擬似的な同時受信をおこなう。これにより、例えば、いわゆるザッピングと呼ばれるチャンネルを切り替えながら視聴する場合において、切り替えたチャンネルから前のチャンネルに戻る場合、あるいは、操作部１２０に「前選局」のような、切替直前に視聴していたチャンネルへの切替をおこなうキーが備えられており、この「前選局」キーが操作された場合、などにおいて、タイムラグを生じさせずにチャンネル切替をおこなうことができる。
【００６０】
次に、同時に受信できるチャンネル数が３以上である場合（ステップＳ１０６：Ｎｏ）の動作例を説明する。ここでは、同時受信チャンネル数（ｎ）が３である場合を想定し、視聴対象チャンネルと視聴対象チャンネルの前後に隣接するチャンネルの３チャンネル分を同時受信することで、アップダウンキーによるチャンネル切替をタイムラグなしにおこなう。このような動作を実現するための「隣接チャンネル受信処理」が、制御部１１０によって実行される（ステップＳ１２０）。この「隣接チャンネル受信処理」を、図４に示すフローチャートを参照して説明する。
【００６１】
ここでは、視聴対象チャンネルを「ＣＨ１」とし、ＣＨ１の前後に隣接する２チャンネルをそれぞれ「ＣＨ０」および「ＣＨ２」とする。この場合において、ＣＨ０はＣＨ１の直前のチャンネルを示し、ＣＨ２はＣＨ１の直後のチャンネルを示すものとするが、チャンネルリストにおけるＣＨ１のチャンネル番号が最小である場合には、ＣＨ０はチャンネルリストにおけるチャンネル番号が最大となっているチャンネルとなる。
【００６２】
処理が開始されると、選局部１１１は、チューナ部１３０を制御し、現在の視聴対象チャンネルであるＣＨ１を選局させる（ステップＳ１２１）。この場合、選局部１１１は、ＣＨ１の受信動作を、許容不受信時間（Ｔ）の１／２（時間（Ｔ／２））おこなう。これにより、ＣＨ１について、時間（Ｔ／２）分の受信データがバッファ部１５０にバッファされる（ステップＳ１２２）。
【００６３】
そして、ＣＨ１の受信について時間（Ｔ／２）経過すると（ステップＳ１２３：Ｙｅｓ）、選局部１１１は、チューナ部１３０を制御し、ＣＨ１の一方に隣接しているＣＨ０に選局を切り替える（ステップＳ１２４）。この場合も、選局部１１１は、ＣＨ０の受信動作を時間（Ｔ／２）おこなう。これにより、ＣＨ０についても、時間（Ｔ／２）分の受信データがバッファ部１５０にバッファされる（ステップ１２５）。
【００６４】
ＣＨ０の受信について時間（Ｔ／２）経過すると（ステップＳ１２６：Ｙｅｓ）、選局部１１１は、チューナ部１３０を制御し、ＣＨ１の他方に隣接しているＣＨ２に選局を切り替える（ステップＳ１２７）。ここでもＣＨ２の受信動作を時間（Ｔ／２）おこなうことで、ＣＨ２についての時間（Ｔ／２）分の受信データがバッファ部１５０にバッファされる（ステップＳ１２８）。
【００６５】
ＣＨ２の受信について時間（Ｔ／２）経過すると（ステップＳ１２９：Ｙｅｓ）、所定の終了イベントが発生するまで（ステップＳ１３２：Ｎｏ）、ステップＳ１２１〜ステップＳ１２９の動作が繰り返しおこなわれる。すなわち、同時受信チャンネル数が３である場合、視聴対象チャンネルを除いたチャンネル数（ｍ）が２（すなわち、ｍ＝ｎ−１）ということになる。この場合、図５（ｂ）に示すような「ＣＨ１→ＣＨ０→ＣＨ２→ＣＨ１→…」という順序で切り替えながら受信する際、時間（Ｔ／ｍ）毎に切り替えることで、各チャンネルにおける不受信時間がＴとなる。
【００６６】
このような動作により、バッファ部１５０には、各チャンネルについてのデータがバッファされるが、それぞれのデータには不受信期間に相当するデータの欠落がある。上述したように、各チャンネルでの不受信時間は、許容不受信時間（Ｔ）となっているので、誤り訂正をおこなうことができる。
【００６７】
同時受信処理部１１２は、復調部１６０を制御することで、バッファ部１５０にバッファされている各チャンネルのデータについて誤り訂正による補完をおこなう（ステップＳ１３０）。
【００６８】
そして、出力制御部１１３が復調部１６０を制御し、復調・補完されたデータのうち、現在視聴対象チャンネルとなっているＣＨ１についてのデータをデコード部１７０に出力させることで、ＣＨ１についての映像や音声が出力部１８０から出力されることになる（ステップＳ１３１）。
【００６９】
このような動作も所定の終了イベントが発生するまで繰り返しおこなわれる（ステップＳ１３２：Ｎｏ）。すなわち、Ｔ／２時間毎の選局切替と並行して、誤り訂正による補完が順次おこなわれる。
【００７０】
この動作において、ユーザが操作部１２０のアップダウンキーを操作することでチャンネル切替をおこなうと、ＣＨ１からＣＨ０もしくはＣＨ２のいずれかに切り替えられることになる。ここで、ＣＨ１を出力している際に、これらの隣接チャンネルについてのデータも復調・補完されているので、どちらのチャンネルに切り替えられたとしても、切替後の出力をタイムラグなしにおこなうことができる。そして、このようなチャンネル切替の後は、切替後のチャンネルをＣＨ１として上述した処理をおこなえば、アップダウンキーが操作された場合におけるチャンネル切替をタイムラグなしにおこなうことができる。
【００７１】
以上のような「隣接チャンネル受信処理」は、所定の終了イベント（例えば、受信装置１００の電源オフなど）とともに「放送受信処理」（図３）のフローに戻り、そのまま終了する。
【００７２】
本実施形態の上記各処理によれば、１チューナの受信装置であっても、デジタル放送でおこなわれている誤り訂正を用いることで、複数のチャンネルについてのデータを、品質を劣化させることなく取得することができる。この場合、複数チャンネルの同時受信を擬似的におこなうことで、チャンネル切替時のタイムラグを減少させることができる。
【００７３】
なお、本実施形態において、同時受信チャンネル数（ｎ）が２の場合、切替前後の２チャンネル分の同時受信をおこなうものとしたが、どのチャンネルを同時受信するかはこの例に限られるものではない。例えば、操作部１２０にテンキーなどのようなチャンネルを直接指定できるキーやボタンが備えられている場合において、このようなキー操作によって切替後のチャンネルが直接指定された場合には、上述したような切替前後の２チャンネルを同時受信するようにすることができる。
【００７４】
一方、アップダウンキーによってチャンネル切替がおこなわれた場合は、切替後のチャンネルと、当該切替後のチャンネルに隣接するチャンネルの２チャンネルを同時受信するようにしてもよい。例えば、当初の視聴対象チャンネルがＣＨ１であった場合に、アップダウンキーによりＣＨ１の直後となるＣＨ２に切り替えられた場合には、当該ＣＨ２と、ＣＨ２の直後となるＣＨ３の２チャンネルを同時受信しておけば、アップダウンキーの操作によってチャンネルを順送りに切り替える場合に、タイムラグのない高速な切替をおこなうことができる。
【００７５】
すなわち、チャンネル切替の操作方法を判別し、これに応じて同時受信の対象とするチャンネルを決定することで、タイムラグのない高速チャンネル切替をより効果的におこなうことができる。
【００７６】
（実施形態２）
実施形態２では、受信装置１００に録画機能を有している場合において、実施形態１で説明した同時受信動作を利用した裏番組録画の動作例を説明する。この場合に実行される「放送受信録画処理」を、図６に示すフローチャートを参照して説明する。この「放送受信録画処理」は、受信装置１００の電源が投入されたことなどを契機に開始される。
【００７７】
処理が開始されると、通常の起動時と同様、選局部１１１がチューナ部１３０を制御することでチャンネルスキャンがおこなわれ（ステップＳ２０１）、チャンネルリストが記憶部１９０に格納される。
【００７８】
次に選局部１１１は、操作部１２０からの入力信号などに基づいて、ユーザが視聴を所望するチャンネル（視聴対象チャンネル）が選局されるようチューナ部１３０を制御する（ステップＳ２０２）。
【００７９】
選局されたチャンネルのデータは順次チューナ部１３０で受信され、復調部１６０による復調の後、デコード部１７０でデコードされ出力部１８０から出力される（ステップＳ２０３）。
【００８０】
ここで、例えば、予約録画の設定時間となったことなどによって録画開始指示がなされると（ステップＳ２０４：Ｙｅｓ）、同時受信処理部１１２は、録画対象となっているチャンネル（録画チャンネル）と、現在視聴対象となっているチャンネル（視聴チャンネル）が異なるか否かを判別する（ステップＳ２０５）。
【００８１】
ここで、録画チャンネルと視聴チャンネルとが異なる場合（ステップＳ２０５：Ｙｅｓ）、同時受信処理部１１２は、現在受信しているチャンネルの復調動作で得られる誤り訂正パラメータなどに基づいて、誤り訂正可能なデータ量を判別し（ステップＳ２０６）、これに基づいて許容不受信時間（Ｔ）を決定する（ステップＳ２０７）。
【００８２】
許容不受信時間（Ｔ）を決定すると、同時受信処理部１１２は、その旨を選局部１１１に通知する。ここでは、決定された許容不受信時間（Ｔ）などが記憶部１９０に記録されるものとする。選局部１１１は、同時受信処理部１１２からの通知に応じて、録画チャンネルと視聴チャンネルを時間（Ｔ）毎に交互に選局されるようチューナ部１３０を制御する（ステップＳ２０８）。
【００８３】
この場合、録画チャンネルと視聴チャンネルのそれぞれについての受信データがバッファ部１５０にバッファされるので（ステップＳ２０９）、同時受信処理部１１２は、復調部１６０を制御し、各チャンネルのデータ欠落を誤り訂正により補完させる（ステップＳ２１０）。
【００８４】
この場合、出力制御部１１３は、視聴チャンネルについて復調・補完されたデータがデコード部１７０に出力されるよう復調部１６０を制御する。これにより、視聴チャンネルについては、他のチャンネルの録画が開始されても、映像や音声の出力が継続される（ステップＳ２１１）。
【００８５】
出力制御部１１３は、このような視聴チャンネルの出力動作と並行して、録画チャンネルについて復調・補完されたデータが記憶部１９０に保存されるよう復調部１６０を制御する。これにより、録画チャンネルのコンテンツデータが記憶部１９０に保存され、録画がおこなわれる（ステップＳ２１２）。
【００８６】
録画が開始された後は、所定の終了イベント（例えば、録画終了指示の入力など）が発生するまで、ステップＳ２０８〜ステップＳ２１２の動作が繰り返しおこなわれる（ステップＳ２１３：Ｎｏ）。これにより、視聴チャンネルと録画チャンネルとが異なる、いわゆる裏番組録画が１チューナの受信装置１００で実現される。
【００８７】
なお、録画チャンネルと視聴チャンネルが同一の場合（ステップＳ２０５：Ｎｏ）は、ステップＳ２１１とステップＳ２１２を同時におこなうことで、通常の録画動作となる。この動作も、所定の終了イベントが発生するまで繰り返しおこなわれる（ステップＳ２１３：Ｎｏ）。
【００８８】
そして、終了イベントの発生とともに本処理を終了するが（ステップＳ２１３：Ｙｅｓ）、録画開始指示がなされない場合（ステップＳ２０４：Ｎｏ）において、視聴チャンネルの切替がおこなわれた場合には、上記実施形態１で示した「放送受信処理」（図３）が実行されてもよい。
【００８９】
以上のように、本実施形態にかかる上記処理により、１チューナの受信装置であっても、いわゆる裏番組録画をおこなうことができる。この場合も、誤り訂正を利用したデータの補完がおこなわれているので、視聴チャンネルおよび録画チャンネルの双方において品質を劣化させることなく、出力および録画することができる。
【００９０】
なお、本実施形態では、視聴チャンネルと録画チャンネルの２チャンネルを同時受信する場合を例示したが、同時受信可能なチャンネル数が３以上となる場合は、視聴チャンネル以外の異なる２以上のチャンネルを同時に録画することもできる。
【００９１】
（実施形態３）
上記実施形態２では、いずれかのチャンネルを視聴中に他のチャンネルの録画をおこなう例を示したが、同時受信可能なすべてのチャンネルについて復調・補完されたデータを録画するようにしてもよい。
【００９２】
すなわち、受信装置１００で放送の視聴をおこなっていない場合であっても、複数チャンネルの放送を同時に録画することができる。例えば、あるチャンネルについての予約録画動作中に、他のチャンネルについての予約録画が開始される場合、上記各実施形態で示したような同時受信をおこなうことで、同じ時間帯に放送されている複数の番組を、１チューナの受信装置で録画することができる。
【００９３】
（実施形態４）
上記各実施形態では、複数のチャンネルを切り替えて選局する際、一定の時間間隔で切り替えるようにしたが、同時受信するチャンネル毎に切り替えるタイミングを異ならせてもよい。つまり、切替タイミングとなる許容不受信時間（Ｔ）は、誤り訂正能力に基づいて許容される欠落データのデータ量から求められるので、チャンネル毎にコンテンツが異なる場合、例えば、映像の動きの大小などによって圧縮率やデータ転送量が異なると、誤り訂正に許容される欠落データ量も異なる。すなわち、受信するコンテンツにかかわらず許容不受信時間（Ｔ）を一定にしてしまうと、適切な補完がおこなえない場合がある。
【００９４】
よって、同時受信対象とする複数のチャンネルが決定した場合に、各チャンネルでそのとき放送されているコンテンツに応じて、許容不受信時間（Ｔ）をチャンネル毎に設定することで、より適切な補完をおこなうことができる。この場合、チャンネルスキャン時に取得される番組表に基づいて、受信対象チャンネルのそれぞれで放送されているコンテンツの種類を判別し、コンテンツの種類に応じて許容不受信時間（Ｔ）を設定すればよい。ここでは、画像の動きの激しさを示す指標を番組のジャンル（例えば、スポーツ、ニュース、ドラマ、アニメ、など）毎に予め規定しておき、記憶部１９０に格納しておく。そして、番組表から判別される番組内容に応じた指標に基づいて、チャンネル毎に許容不受信時間（Ｔ）を設定する。このような動作は、制御部１１０がチューナ部１３０や復調部１６０を制御することで実現できるものである。
【００９５】
また、許容不受信時間（Ｔ）ではなく、同時受信チャンネル数（ｎ）についても、同様の基準で決定してもよい。つまり、視聴対象チャンネルについての番組内容から当該チャンネルについての許容不受信時間（Ｔ）を決定し、一のチャンネルについて決定された許容不受信時間（Ｔ）に基づいて、同時に受信できるチャンネルについて割り当て可能な許容不受信時間（Ｔ’）を求めることができる。そして、他のチャンネルでそのとき放送されている番組を番組表から特定し、許容不受信時間（Ｔ’）で補完可能な番組を放送しているチャンネルを同時受信対象とすれば、視聴対象チャンネルを基準とした適切な同時受信チャンネル数（ｎ）を決定することができる。このような動作も、制御部１１０がチューナ部１３０や復調部１６０を制御することで実現できるものである。
【００９６】
（実施形態５）
上記各実施形態では、１つの視聴チャンネルについて出力されるように動作したが、同時受信した複数のチャンネルを視聴チャンネルとして出力してもよい。この場合、出力制御部１１３の制御により、例えば、同時受信チャンネル数（ｎ）で出力部１８０の表示装置における画面を分割し、同時受信した各チャンネルの映像を表示出力してもよい。
【００９７】
以上説明したように、本発明を上記実施形態の如く適用することで、１チューナの受信装置における複数チャンネルの同時受信を、受信データの品質を劣化させることなく実現することができる。
【００９８】
すなわち、１チューナで複数のチャンネルを交互に受信することで、各チャンネルの受信データに欠落が生じるが、変調時に施されている誤り訂正符号を用いた誤り訂正により欠落部分を補完するので、１チューナであっても、複数のチャンネルのデータを、品質を損なうことなく取得することができる。
【００９９】
この場合において、誤り訂正にかかるパラメータなどに基づいて、同時に受信できるチャンネルのチャンネル数を決定するので、放送データのフォーマットや受信装置の処理能力などに応じて、適切に補完可能な範囲で同時受信をおこなうことができる。
【０１００】
また、受信可能な番組の種類に基づいて、同時受信可能なチャンネル数を決定したり、チャンネルの切替タイミングを変更したりすることで、コンテンツによって誤り訂正の処理負荷が異なる場合であっても、適切な補完をおこなうことができる。
【０１０１】
このように同時受信した複数のチャンネルの少なくとも一について復調・補完されたデータを記録することで、１チューナの受信装置であっても、品質を落とすことなく同一時間帯に放送されている複数の番組を録画することができる。
【０１０２】
ここで、受信している複数のチャンネルの一を表示出力している場合、当該チャンネル以外のチャンネルを同時受信して記録することで、１チューナの受信装置であっても、品質を落とすことなく裏番組録画をおこなうことができる。
【０１０３】
また、同時受信対象とするチャンネルを、視聴対象に隣接するチャンネルとすることで、アップダウンキーなどによる連続的なチャンネル切替時におけるタイムラグを減少させることができる。
【０１０４】
また、表示画面を分割させることにより、同時受信したチャンネルのすべてを表示出力することができ、複数のチャンネルを同時に視聴することができる。
【０１０５】
上記実施形態は一例であり、本発明の適用範囲はこれに限られない。すなわち、種々の応用が可能であり、あらゆる実施の形態が本発明の範囲に含まれる。
【０１０６】
例えば、上記実施形態では、本発明にかかる受信装置を、１セグメント放送を受信する携帯型のデジタルテレビ放送受信機として実現した場合を例示したが、誤り訂正機能のあるデジタル放送を受信するものであれば、種々の形態で実現可能である。例えば、携帯電話などに搭載されている１セグメント放送受信機能に本発明を適用することもできる。あるいは、据え置き型のデジタル放送受信装置に本発明を適用してもよい。
【０１０７】
なお、本発明は、１チューナの受信装置において、その効果が特に発揮されるものであるが、複数のチューナを備えた受信装置に本発明を適用してもよい。この場合、複数のチューナそれぞれにおいて本発明にかかる動作を実行すれば、チューナの数よりも多いチャンネルを同時に受信することができる。
【０１０８】
なお、本発明にかかる機能を実現するための構成を予め備えた受信装置として提供できることはもとより、プログラムの適用により、既存の受信装置を本発明にかかる受信装置として機能させることもできる。すなわち、上記実施形態で例示した制御部１１０による各機能構成を実現させるためのプログラムを、既存の受信装置を制御するコンピュータ（ＣＰＵなど）が実行できるよう適用することで、本発明にかかる受信装置として機能させることができる。
【０１０９】
このようなプログラムの配布方法は任意であり、例えば、メモリカードやＣＤ−ＲＯＭなどの記録媒体に格納して配布できる他、インターネットなどの通信媒体を介して配布することもできる。
【符号の説明】
【０１１０】
１００…受信装置、１１０…制御部、１１１…選局部、１１２…同時受信処理部、１１３…出力制御部、１２０…操作部、１３０…チューナ部、１３１…アンテナ、１４０…ＡＤＣ、１５０…バッファ部、１６０…復調部、１７０…デコード部、１８０…出力部、１９０…記憶部
【図１】
2010157979.tif 000003
【図２】
2010157979.tif 000004
【図３】
2010157979.tif 000005
【図４】
2010157979.tif 000006
【図５】
2010157979.tif 000007
【図６】
2010157979.tif 000008